(57)【要約】【課題】取引情報の安全性と決済の確実性を提供することができる技術を提供すること。【解決手段】本発明は、管理サーバとユーザ端末と複数の改札装置とを含む、ブロックチェーンネットワークを利用した改札方法である。管理サーバは、入場及び退場の夫々に関して、少なくともユーザの特徴又はユーザ情報に基づいて、当該ユーザに対する入場（退場）ンザクションを生成し、ブロックチェーンネットワークにブロードキャストする。管理サーバは、ブロックチェーンネットワークを参照して、当該ユーザに関して第１の改札から第２の改札を通過するまでに必要な決済処理を行うとともに、当該決済の結果をユーザ端末に通知する。【選択図】図１
2019121147.tif 000002
【特許請求の範囲】
【請求項１】
管理サーバとユーザ端末と複数の改札装置とを含む、ブロックチェーンネットワークを利用した改札方法であって、
前記改札装置の夫々は、入口側デバイスと出口側デバイスとを備えており、
第１の改札に設置された第１の改札装置が、当該第１の改札を通過するユーザの特徴を前記入口側デバイスによって認識するとともに、当該ユーザのユーザ端末からユーザ情報を取得するステップと、
前記管理サーバが、少なくとも前記ユーザの特徴又は前記ユーザ情報に基づいて、当該ユーザに対する入場トランザクションを生成し、前記ブロックチェーンネットワークにブロードキャストするステップと、
第２の改札に設置された第２の改札装置が、当該第２の改札を通過する前記ユーザの特徴を前記出口側デバイスによって認識するとともに、当該ユーザのユーザ端末からユーザ情報を取得するステップと、
前記管理サーバが、少なくとも前記ユーザの特徴又は前記ユーザ情報に基づいて、当該ユーザに対する退場トランザクションを生成し、前記ブロックチェーンネットワークにブロードキャストするステップと、を含み、
前記管理サーバは、前記ブロックチェーンネットワークを参照して、前記ユーザに関する、少なくとも前記入場トランザクション及び前記退場トランザクションに基づいて、前記第１の改札から前記第２の改札を通過するまでに必要な決済処理を行うとともに、当該決済の結果を前記ユーザ端末に通知する、
改札方法。
【請求項２】
請求項１に記載の改札方法であって、
前記入口側デバイス及び前記出口側デバイスは、前記ユーザの顔を認証して認証結果を前記管理サーバに送信する、
改札方法。
【請求項３】
請求項１又は請求項２に記載の改札方法であって、
前記ユーザ情報は、前記ユーザ端末によって取得される位置情報である、
改札方法。
【請求項４】
請求項１乃至請求項３のいずれかに記載の改札方法であって、
前記管理サーバは、前記ユーザの特徴及び前記ユーザ情報に基づいて、当該ユーザに対する入場トランザクションを生成し、前記ブロックチェーンネットワークにブロードキャストするステップと、
前記管理サーバが、前記ユーザの特徴及び前記ユーザ情報に基づいて、当該ユーザに対する退場トランザクションを生成し、前記ブロックチェーンネットワークにブロードキャストするステップと、を含む、
改札方法。
【請求項５】
管理サーバとユーザ端末と複数の改札装置とを含む、ブロックチェーンネットワークを利用した改札システムであって、
前記改札装置の夫々は、入口側デバイスと出口側デバイスとを備えており、
第１の改札に設置された第１の改札装置が、当該第１の改札を通過するユーザの特徴を前記入口側デバイスによって認識するとともに、当該ユーザのユーザ端末からユーザ情報を取得し、
前記管理サーバが、少なくとも前記ユーザの特徴又は前記ユーザ情報に基づいて、当該ユーザに対する入場トランザクションを生成し、前記ブロックチェーンネットワークにブロードキャストし、
第２の改札に設置された第２の改札装置が、当該第２の改札を通過する前記ユーザの特徴を前記出口側デバイスによって認識するとともに、当該ユーザのユーザ端末からユーザ情報を取得し、
前記管理サーバが、少なくとも前記ユーザの特徴又は前記ユーザ情報に基づいて、当該ユーザに対する退場トランザクションを生成し、前記ブロックチェーンネットワークにブロードキャストし、
前記管理サーバは、前記ブロックチェーンネットワークを参照して、前記ユーザに関する、少なくとも前記入場トランザクション及び前記退場トランザクションに基づいて、前記第１の改札から前記第２の改札を通過するまでに必要な決済処理を行うとともに、当該決済の結果を前記ユーザ端末に通知する、
ブロックチェーンネットワークを利用した改札システム。
【発明の詳細な説明】
【技術分野】
【０００１】
本発明は、改札方法及び改札システムに関し、特にブロックチェーンネットワークを利用した認証を行うものに関する。
【背景技術】
【０００２】
特許文献１には、改札利用者の顔画像をカード媒体に記憶することなく、顔認証により特定の利用者が割引を受けることができる自動改札機に関する技術が開示されている。
【０００３】
特許文献１に開示されている技術によれば、顔認証自動改札機は、特定の利用者の顔の画像と利用者が所持する無線カードのＩＤとを対応させた顔照合用データを記憶した記憶部と、有料施設入口の通路で無線カードから情報を読み取るカード情報読取部と、通路に進入する利用者の顔の画像を撮像する撮像部と、無線カードから読み取られたＩＤをキーにして記憶部に記憶されている顔照合用データの中からＩＤが一致する顔の画像を読み出して撮影画像と照合し、画像が合致した場合、無線カードから読み取った割引フラグに従って料金割引を行う料金割引判定部とを備えている。
【先行技術文献】
【特許文献】
【０００４】
【特許文献１】特開２０１０−０９７２７２号公報
【発明の概要】
【発明が解決しようとする課題】
【０００５】
しかしながら、上述した技術は、中央集権的システムに基づいて運用されていることから、サーバトラブルが発生した場合には、すべてのシステムが利用できなくなる可能性がある。また、例えば、入場処理や退場処理を不正に行うことによる不正乗車への対策は何らなされていない。
【０００６】
そこで、本発明は、取引情報の安全性と決済の確実性を提供することができる技術を提供することを一つの目的とする。
【課題を解決するための手段】
【０００７】
本発明によれば、
管理サーバと、認証端末とを利用した飛行体の識別方法であって、
飛行体の個別情報を受け付けたユーザ端末が、当該個別情報を管理サーバに送信するステップと、
前記管理サーバが、
前記個別情報を評価するステップと、
当該評価に基づいて識別情報を生成するステップと、
前記識別情報を識別情報データベースに記録するとともに前記ユーザ端末に送信するステップとを含み、
前記飛行体の前記識別情報を受け付けた前記認証端末が、
前記識別情報を前記管理サーバに送信するステップと、
前記管理サーバが、前記識別情報データベースを参照して、受信した前記識別情報を認証するステップとを含む、
飛行体の識別方法。
【発明の効果】
【０００８】
本発明によれば、飛行体の安全性を客観的に担保し得る仕組みとそれを識別する技術を提供することができる。
【図面の簡単な説明】
【０００９】
【図１】本発明による実施の形態による改札システムの概略図を示す図である。
【図２】図１の管理サーバの機能ブロック図である。
【図３】図１のユーザ端末の機能ブロック図である。
【図４】図１のシステムにおける入場トランザクションの処理の流れを示すイメージ図である。
【図５】図１のシステムにおける退場トランザクションの処理の流れを示すイメージ図である。
【発明を実施するための形態】
【００１０】
本発明の実施形態の内容を列記して説明する。本発明の実施の形態によるブロックチェーンネットワークを利用した改札方法は、以下のような構成を備える。
［項目１］
管理サーバとユーザ端末と複数の改札装置とを含む、ブロックチェーンネットワークを利用した改札方法であって、
前記改札装置の夫々は、入口側デバイスと出口側デバイスとを備えており、
第１の改札に設置された第１の改札装置が、当該第１の改札を通過するユーザの特徴を前記入口側デバイスによって認識するとともに、当該ユーザのユーザ端末からユーザ情報を取得するステップと、
前記管理サーバが、少なくとも前記ユーザの特徴又は前記ユーザ情報に基づいて、当該ユーザに対する入場トランザクションを生成し、前記ブロックチェーンネットワークにブロードキャストするステップと、
第２の改札に設置された第２の改札装置が、当該第２の改札を通過する前記ユーザの特徴を前記出口側デバイスによって認識するとともに、当該ユーザのユーザ端末からユーザ情報を取得するステップと、
前記管理サーバが、少なくとも前記ユーザの特徴又は前記ユーザ情報に基づいて、当該ユーザに対する退場トランザクションを生成し、前記ブロックチェーンネットワークにブロードキャストするステップと、を含み、
前記管理サーバは、前記ブロックチェーンネットワークを参照して、前記ユーザに関する、少なくとも前記入場トランザクション及び前記退場トランザクションに基づいて、前記第１の改札から前記第２の改札を通過するまでに必要な決済処理を行うとともに、当該決済の結果を前記ユーザ端末に通知する、
改札方法。
［項目２］
請求項１に記載の改札方法であって、
前記入口側デバイス及び前記出口側デバイスは、前記ユーザの顔を認証して認証結果を前記管理サーバに送信する、
改札方法。
［項目３］
請求項１又は請求項２に記載の改札方法であって、
前記ユーザ情報は、前記ユーザ端末によって取得される位置情報である、
改札方法。
［項目４］
請求項１乃至請求項３のいずれかに記載の改札方法であって、
前記管理サーバは、前記ユーザの特徴及び前記ユーザ情報に基づいて、当該ユーザに対する入場トランザクションを生成し、前記ブロックチェーンネットワークにブロードキャストするステップと、
前記管理サーバが、前記ユーザの特徴及び前記ユーザ情報に基づいて、当該ユーザに対する退場トランザクションを生成し、前記ブロックチェーンネットワークにブロードキャストするステップと、を含む、
改札方法。
［項目５］
管理サーバとユーザ端末と複数の改札装置とを含む、ブロックチェーンネットワークを利用した改札システムであって、
前記改札装置の夫々は、入口側デバイスと出口側デバイスとを備えており、
第１の改札に設置された第１の改札装置が、当該第１の改札を通過するユーザの特徴を前記入口側デバイスによって認識するとともに、当該ユーザのユーザ端末からユーザ情報を取得し、
前記管理サーバが、少なくとも前記ユーザの特徴又は前記ユーザ情報に基づいて、当該ユーザに対する入場トランザクションを生成し、前記ブロックチェーンネットワークにブロードキャストし、
第２の改札に設置された第２の改札装置が、当該第２の改札を通過する前記ユーザの特徴を前記出口側デバイスによって認識するとともに、当該ユーザのユーザ端末からユーザ情報を取得し、
前記管理サーバが、少なくとも前記ユーザの特徴又は前記ユーザ情報に基づいて、当該ユーザに対する退場トランザクションを生成し、前記ブロックチェーンネットワークにブロードキャストし、
前記管理サーバは、前記ブロックチェーンネットワークを参照して、前記ユーザに関する、少なくとも前記入場トランザクション及び前記退場トランザクションに基づいて、前記第１の改札から前記第２の改札を通過するまでに必要な決済処理を行うとともに、当該決済の結果を前記ユーザ端末に通知する、
ブロックチェーンネットワークを利用した改札システム。
【００１１】
＜実施の形態の詳細＞
以下、本発明の実施の形態によるブロックチェーンネットワークを利用した改札方法について、図面を参照しながら説明する。
【００１２】
＜概要＞
図１は、本発明による実施の形態による改札システムの概略図を示す図である。本発明の実施の形態による改札方法及び改札システムは、一の駅（Ａ駅）においてユーザが改札に入場してから、他の駅（Ｂ駅）において改札を出るまでの移動に関する情報と決済に関する情報をブロックチェーンネットワークに載せることにより、取引データの安全性や決済の確実性を図るものである。
【００１３】
以下、ある駅において列車等に乗るために改札を通過することを「入場」といい、当該列車によって移動後、到着した駅において改札を通過することを「退場」と呼ぶ。
【００１４】
入場及び退場に関する情報は、夫々、入場トランザクション及び退場トランザクションとして、ブロックチェーンネットワークに追加される。本実施の形態によるブロックチェーンは、プライベートブロックチェーンネットワークを利用することが好ましく、例えば、イーサリアム（Ｅｔｈｅｒｅｕｍ）ベースのプラットフォームを利用することができる。
【００１５】
＜管理サーバ１＞
図２は、管理サーバ１のハードウェア構成を示す図である。なお、図示された構成は一例であり、これ以外の構成を有していてもよい。
【００１６】
図示されるように、管理サーバ１は、データベース３と接続されシステムの一部を構成する。管理サーバ１は、例えばワークステーションやパーソナルコンピュータのような汎用コンピュータとしてもよいし、或いはクラウド・コンピューティングによって論理的に実現されてもよい。
【００１７】
管理サーバ１は、少なくとも、プロセッサ１０、メモリ１１、ストレージ１２、送受信部１３、入出力部１４等を備え、これらはバス１５を通じて相互に電気的に接続される。
【００１８】
プロセッサ１０は、管理サーバ１全体の動作を制御し、各要素間におけるデータの送受信の制御、及びアプリケーションの実行及び認証処理に必要な情報処理等を行う演算装置である。例えばプロセッサ１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。
【００１９】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ  ／  Ｏｕｔｐｕｔ  Ｓｙｓｔｅｍ）、及び各種設定情報等を格納する。
【００２０】
ストレージ１２は、アプリケーション・プログラム等の各種プログラムを格納する。各処理に用いられるデータを格納したデータベースがストレージ１２に構築されていてもよい。
【００２１】
送受信部１３は、管理サーバ１をネットワークおよびブロックチェーンネットワークに接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インタフェースを備えていてもよい。
【００２２】
入出力部１４は、キーボード・マウス類等の情報入力機器、及びディスプレイ等の出力機器である。
【００２３】
バス１５は、上記各要素に共通に接続され、例えば、アドレス信号、データ信号及び各種制御信号を伝達する。
【００２４】
＜ユーザ端末２＞
図３は、ユーザ端末２のハードウェア構成を示す図である。なお、図示された構成は一例であり、これ以外の構成を有していてもよい。
【００２５】
ユーザ端末２は、直接又は間接的に管理サーバ１による管理を受けてシステムの一部を構成する。
【００２６】
ユーザ端末２は、少なくとも、プロセッサ２０、メモリ２１、ストレージ２２、送受信部２３、入出力部２４等を備え、これらはバス２５を通じて相互に電気的に接続される。
【００２７】
ユーザ端末２のプロセッサ２０は、ユーザ端末２の全体の動作を制御し、各要素間におけるデータの送受信の制御、及び認証処理のアプリケーションの実行に必要な情報処理等を行う演算装置である。
【００２８】
＜入口側／出口側デバイス＞
入口側／出口側デバイスは、鉄道などの自動改札システムと連動している。自動改札は、センター機器と各駅機器とがＬＡＮなどのネットワークを介して接続して構成されている。
【００２９】
センター機器は、例えば鉄道などの交通機関の管理センターなどに設置された例えばサーバコンピュータ（図示せず）などであり、ＣＰＵ、メモリ、ハードディスク装置などが実装されたコンピュータである。ハードディスク装置には、オペレーティングシステム（以下「ＯＳ」と称す）と、改札制御プログラム等がインストールされており、各駅機器より利用者の利用データを取得し、利用者が駅を利用した状況に応じて各駅の自動改札機へ指示を出す。
【００３０】
＜処理の流れ＞
図４は、本実施の形態による改札方法における入場トランザクションに関する処理の流れを示す図である。
【００３１】
本実施の形態による入口側デバイス３は、例えば、改札口に設置されるカメラである。カメラは、改札に進入する利用者の顔の画像を撮像する撮像部として機能する。カメラは、画像処理部を備えている。画像処理部は、カメラにより撮像された画像の中から利用者の顔の画像（または顔の特徴情報）をキャプチャーする。
【００３２】
取得された画像はネットワークを介して管理サーバ１に送信される（ＳＱ１０２）。なお、送信されるデータは、所定間隔で撮影された静止画でもよいし、連続的にストリーミングされる動画であってもよい。
【００３３】
ユーザ端末は、改札を通過する際に当該ユーザ端末２の位置情報を管理サーバ１に送信する（ＳＱ１０４）。位置情報は、ユーザ端末のＧＰＳ（Ｇｒｏｂａｌ  Ｐｏｓｉｔｉｏｎｉｎｇ  Ｓｙｓｔｅｍ）を利用して取得することとすればよい。
【００３４】
管理サーバ１においては、取得した画像に基づいて、予めユーザの顔画像と当該ユーザを識別する情報とを関連付けて登録されているデータベース（図示せず）等を参照して、改札を通過したユーザが、特定のユーザであることを検証する（ＳＱ１０６）。
【００３５】
ここで、ユーザ端末１は、例えば、ビーコン等のようなデバイスによって改札を検知し、能動的に位置情報を送信することとしてもよいし、顔認証を終えた管理サーバ１からのアクセスに応じて応答することとしてもよい。
【００３６】
なお、位置情報は、顔認証によってユーザが特定できなかった場合に利用することとしてもよいし、顔認証の信頼度を向上させるために補助的に利用することとしてもよい。
【００３７】
本実施の形態においてはユーザ端末２から送信される情報は、位置情報であったが、ユーザ端末２固有の識別子や、起動している何らかのアプリケーションに関する情報であってもよい。
【００３８】
検証が終わると、管理サーバ１は、取得した画像と位置情報とに基づいて入場トランザクションデータを生成する。トランザクションには、トランザクションＩＤ、ユーザの情報（ユーザＩＤ）、通過した改札ＩＤ（駅ＩＤ）、タイムスタンプ、決済に関する情報（ウォレットアドレス）等が含まれる。
【００３９】
生成されたトランザクションは、ブロックチェーンネットワークへブロードキャストされる（ＳＱ１１０）。トランザクションデータは、プライベートブロックチェーンネットワーク上において各情報を特定可能な形で分散して格納される。管理サーバ１は、プライベートブロックチェーンネットワーク上の各種イベントを監視・制御する。
【００４０】
一連の処理が終わると、管理サーバ１は完了通知をユーザ端末２に送信する（ＳＱ１１２）。
【００４１】
図５は、本実施の形態による改札方法における退場トランザクションに関する処理の流れを示す図である。
【００４２】
本実施の形態による出口側デバイス３も、改札口に設置されるカメラである。カメラは、改札を通過するユーザを撮影することによって、ユーザの顔に関する画像を取得する。
【００４３】
入場トランザクションに関する処理と同様に、取得された画像はネットワークを介して管理サーバ１に送信される（ＳＱ２０２）。ユーザ端末２は、改札を通過する際に当該ユーザ端末２の位置情報を管理サーバ１に送信する（ＳＱ２０４）。
【００４４】
管理サーバ１においては、取得した画像に基づいて、上述したデータベース（図示せず）等を参照して、改札を通過したユーザが、特定のユーザであることを検証する（ＳＱ２０６）。
【００４５】
なお、位置情報は、顔認証によってユーザが特定できなかった場合に利用することとしてもよいし、顔認証の信頼度を向上させるために補助的に利用することとしてもよい。
【００４６】
本実施の形態においてはユーザ端末２から送信される情報は、位置情報であったが、ユーザ端末２固有の識別子や、起動している何らかのアプリケーションに関する情報であってもよい。
【００４７】
検証が終わると、管理サーバ１は、取得した画像と位置情報とに基づいて退場トランザクションデータを生成する。トランザクションには、トランザクションＩＤ、ユーザの情報（ユーザＩＤ）、通過した改札ＩＤ（駅ＩＤ）、タイムスタンプ、決済に関する情報（交通料金、ウォレットアドレス）等が含まれる。
【００４８】
本実施の形態によるトランザクションには、ユーザによるＡ駅からＢ駅への移動に関する交通料金をユーザの仮想通貨ウォレットから支払うこととしている。トランザクションデータには、当該決済に関する情報も含まれる。
【００４９】
一連のトランザクションに関する処理が終了すると、管理サーバ１は、決済が完了したことの通知をユーザ端末に通知する（ＳＱ２１２）
【００５０】
上述した実施の形態においては、ユーザ端末２から取得される情報は位置情報等であったが、例えば、ライフスタイル認証技術を利用することとしてもよい。
【００５１】
ユーザ端末などから収集された、個人の行動履歴に関するさまざまなデータを活用し、個人を認証してもよい。例えば、スマートフォンに蓄積された「移動パターン」や「運動履歴」などから個人の特徴をつかむことや、マンガの閲覧履歴、時間や閲覧作品などの関係から本人のパターンを推測することなど、一定期間の行動履歴を詳細に分析することで本人認証を行う。
【００５２】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００５３】
１        管理サーバ
２        ユーザ端末
【図１】
2019121147.tif 000003
【図２】
2019121147.tif 000004
【図３】
2019121147.tif 000005
【図４】
2019121147.tif 000006
【図５】
2019121147.tif 000007